(57)【要約】【課題】本発明は、吸着ヘッドに吸着されたラベルを被貼付物に押圧する動作のみで、気泡が入らないようにラベルを被貼付物に貼付することができるラベル貼付装置を提供することを課題とする。【解決手段】吸着孔１６の中心部分に配設され、吸着面に吸着されたラベル１に当接する当接片２１と、当接片２１を支持するシャフト２２と、当接片２１が吸着面から突出する方向に付勢するバネ２３とを設けることにより、ラベル１を吸着面に吸着した際には、吸着孔１６に位置するラベル１が当接片２１によって支持されることになるため、吸着孔１６に生じた吸引力によって窪んでしまうことが防止される。また、外力が加わらない状態では、当接片２１の当接面を吸着面から突出させることにより、ラベル１を吸着した吸着面が被貼付物８に押圧された際には、当接片２１によってもラベル１が被貼付物８に押しつけられる。【選択図】        図２
2010120672.tif 000002
【特許請求の範囲】
【請求項１】
複数の吸着孔が形成された吸着面にラベルを吸着する吸着ヘッドを有し、前記吸着孔に生じた吸引力によって前記吸着面に前記ラベルを吸着し、前記ラベルが吸着された前記吸着ヘッドの前記吸着面を被貼付物に押圧することで、前記ラベルを前記被貼付物に貼付するラベル貼付装置であって、
前記吸着孔の中心部分に配設され、前記吸着面に吸着された前記ラベルに当接する当接片と、
該当接片を前記吸着面に対して略垂直方向に移動可能に支持する支持手段と、
前記当接片が前記吸着面から突出する方向に付勢する付勢手段とを具備することを特徴とするラベル貼付装置。
【請求項２】
前記当接片の当接面は、外力が加わらない状態では、前記吸着面から突出することを特徴とする請求項１記載のラベル貼付装置。
【請求項３】
前記付勢手段の付勢力は、吸着された前記ラベルによって、前記当接片の当接面が前記吸着面と略同一面となる位置まで移動されるように設定されていることを特徴とする請求項２記載のラベル貼付装置。
【請求項４】
前記吸着孔に生じる吸引力の作用を受け、前記当接片を前記付勢手段の付勢力に抗して移動させる羽部を具備することを特徴とする請求項１乃至３のいずれかに記載のラベル貼付装置。
【発明の詳細な説明】
【技術分野】
【０００１】
本発明は、物品等の被貼付物にラベルを貼付するラベル貼付装置に関し、特に吸着ヘッドの吸着面に吸着されたラベルを被貼付物に押圧して貼付するラベル貼付装置に関する。
【背景技術】
【０００２】
帯状台紙から剥離させたラベルを、吸着面に複数の吸着孔が形成されている吸着ヘッドに吸着させた後、被貼付物に貼付するラベル貼付装置が製造ライン等で用いられている。このようにラベル貼付装置においては、気泡が入らないようにラベルを被貼付物に貼付することが重要な課題である。ところが、薄いラベルの場合には、吸着ヘッドの吸着面に吸着された際に、吸着孔に生じる吸引力によって窪んでしまい、窪んだ部分に気泡が入った状態で被貼付物に貼付される。
【０００３】
そこで、中央部分で最も凸となる曲線状に形成した吸着面を有し、ラベルを被貼付物に向けて吹き付けた後に、吸着面によってラベルを被貼付物に圧着することで、平滑性を有する面に気泡や皺が入らずにラベルを貼付するラベル貼付装置が提案されている（例えば、特許文献１参照）。
【０００４】
しかしながら、従来技術では、ラベルの被貼付物への吹き付け動作と、吸着面による押圧動作とを連続して行わなければならないため、制御が複雑になってしまうと共に、ラベルを被貼付物に圧着する吸着面に複数の吸着孔が形成されているため、ラベルと被貼付物との間に入り込んだ空気が吸着孔に対向する箇所に残ってしまい、ラベルが被貼付物に気泡が入った状態で貼付されてしまうことがあるという問題点があった。
【０００５】
【特許文献１】特開２００６−５６５３６号公報
【発明の開示】
【発明が解決しようとする課題】
【０００６】
本発明は斯かる問題点に鑑みてなされたものであり、その目的とするところは、吸着ヘッドの吸着面に吸着されたラベルを被貼付物に押圧する動作のみで、気泡が入らないようにラベルを被貼付物に貼付することができるラベル貼付装置を提供する点にある。
【課題を解決するための手段】
【０００７】
本発明は上記課題を解決すべく、以下に掲げる構成とした。
請求項１記載の発明の要旨は、複数の吸着孔が形成された吸着面にラベルを吸着する吸着ヘッドを有し、前記吸着孔に生じた吸引力によって前記吸着面に前記ラベルを吸着し、前記ラベルが吸着された前記吸着ヘッドの前記吸着面を被貼付物に押圧することで、前記ラベルを前記被貼付物に貼付するラベル貼付装置であって、前記吸着孔の中心部分に配設され、前記吸着面に吸着された前記ラベルに当接する当接片と、該当接片を前記吸着面に対して略垂直方向に移動可能に支持する支持手段と、前記当接片が前記吸着面から突出する方向に付勢する付勢手段とを具備することを特徴とするラベル貼付装置に存する。
また請求項２記載の発明の要旨は、前記当接片の当接面は、外力が加わらない状態では、前記吸着面から突出することを特徴とする請求項１記載のラベル貼付装置に存する。
また請求項３記載の発明の要旨は、前記付勢手段の付勢力は、吸着された前記ラベルによって、前記当接片の当接面が前記吸着面と略同一面となる位置まで移動されるように設定されていることを特徴とする請求項２記載のラベル貼付装置に存する。
また請求項４記載の発明の要旨は、前記吸着孔に生じる吸引力の作用を受け、前記当接片を前記付勢手段の付勢力に抗して移動させる羽部を具備することを特徴とする請求項１乃至３のいずれかに記載のラベル貼付装置に存する。
【発明の効果】
【０００８】
本発明のラベル貼付装置は、吸着孔の中心部分に配設され、吸着面に吸着されたラベルに当接する当接片と、当接片を吸着面に対して略垂直方向に移動可能に支持する支持手段と、当接片が吸着面から突出する方向に付勢する付勢手段とを設けることにより、ラベルを吸着面に吸着した際には、吸着孔に位置するラベルが当接片によって支持されることになるため、吸着孔に生じた吸引力によって窪んでしまうことが防止されるため、吸着ヘッドの吸着面に吸着されたラベルを被貼付物に押圧する動作のみで、気泡が入らないようにラベルを被貼付物に貼付することができるという効果を奏する。
【０００９】
さらに、本発明のラベル貼付装置は、外力が加わらない状態では、当接片の当接面が吸着面から突出するように構成することにより、ラベルを吸着した吸着面が被貼付物に押圧された際には、当接片によってもラベルの粘着面が被貼付物に押しつけられることになるため、吸着ヘッドの吸着面に吸着されたラベルを被貼付物に押圧する動作のみで、気泡が入らないようにラベルを被貼付物に貼付することができるという効果を奏する。
【００１０】
さらに、本発明のラベル貼付装置は、吸着されたラベルによって当接片の当接面が吸着面と略同一面となる位置まで移動されるように付勢手段の付勢力を設定することにより、吸着ヘッドの吸着面に吸着されたラベルは、同一平面に支持されることになり、吸着孔に生じた吸引力によって窪んでしまうことをより確実に防止することができるという効果を奏する。
【００１１】
さらに、本発明のラベル貼付装置は、吸着孔に生じる吸引力の作用を受け、当接片を付勢手段の付勢力に抗して移動させる羽部を設けることにより、より強い力でラベルの粘着面が被貼付物に押しつけることが可能になるという効果を奏する。
【発明を実施するための最良の形態】
【００１２】
以下、本発明の実施の形態を図面に基づいて詳細に説明する。
【００１３】
（第１の実施の形態）
図１は、本発明に係るラベル貼付装置の第１の本実施の形態の構成を示す概略側面図であり、図２は、図１に示す吸着ヘッドの構成を示す部分図であり、（ａ）は、吸着面の構成を示す平面図であり、（ｂ）は、（ａ）に示すＸ−Ｘ’断面図である。
【００１４】
本実施の形態のラベル貼付装置は、図１を参照すると、ラベル１が帯状台紙２に間隔を置いて仮着されたラベル連続体３を回転可能に保持するラベル保持部４と、ラベル１に印字を施すと共に、印字後のラベル１を帯状台紙２から剥離する印字剥離部５と、ラベル１が剥離された帯状台紙２を巻き取る台紙巻取部６と、搬送機構であるコンベア７上を搬送される被貼付物８に帯状台紙２から剥離されたラベル１を貼付する貼付部１０とからなる。
【００１５】
印字剥離部５は、図示しないモータによって回転駆動されるプラテンローラ５１と、複数の発熱体がプラテンローラ５１に対向する面に形成されているサーマルヘッド５２と、先端が鋭角に形成され剥離板５３とを備えている。
【００１６】
ラベル保持部４から繰り出されたラベル連続体３は、プラテンローラ５１とサーマルヘッド５２とで挟持搬送されると共に、印字データに基づいてサーマルヘッド５２に形成された複数の発熱体を選択的に発熱させ、ラベル１に印字が施される。ラベル１に印字が施されたラベル連続体３は、剥離板５３の先端で帯状台紙２を折り返すことにより、ラベル１を帯状台紙２から剥離される。
【００１７】
貼付部１０は、図示しない真空装置に連通され、真空装置の吸引作用により、剥離板５３によって帯状台紙２から剥離されたラベル１を印字面側から吸着する吸着ヘッド１１と、吸着ヘッド１１を支持するロッド１２と、ロッド１２を進退させることでコンベア７上を搬送される被貼付物８に向けて吸着ヘッド１１を進退させるシリンダ１３とを備えている。
【００１８】
吸着ヘッド１１は、図２を参照すると、図示しない真空装置に連通された中空部１４が形成されていると共に、中空部１４に連通する複数の吸着孔１６が形成された貼付面を有する吸着ヘッド本体１５と、吸着ヘッド本体１５の貼付面に貼付されたゴム板等の吸着板１７とから構成されている。吸着板１７にも、吸着ヘッド本体１５の貼付面と同様の箇所に吸着孔１６が形成されている。図示しない真空装置によってエアーを吸引して中空部１４に負圧を生じさせることで、複数の吸着孔１６に吸引力が生じ、吸着板１７にラベル１が吸着され、ラベル１が吸着される吸着板１７の面が吸着面となる。また、図示しない真空装置によって中空部１４に生じた負圧を解除させることで、複数の吸着孔１６に生じた吸引力がなくなる。
【００１９】
図２（ａ）を参照すると、吸着孔１６の中心部分には、押圧部２０が配設されている。押圧部２０は、図２（ｂ）を参照すると、吸着板１７に吸着されたラベル１に当接するゴム等の弾性部材からなる当接片２１と、吸着板１７に対して略垂直に配設され、当接片２１を吸着板１７に対して略垂直方向に移動可能に支持する伸縮可能なシャフト２２と、シャフト２２を伸びる方向に付勢するバネ２３とからなる。ラベル１に当接する当接片２１の当接面は、吸着孔１６に生じる吸引力を妨げないように、吸着孔１６の面積より十分に小さい面積、具体的には、１／９以下の面積に設定されている。さらに、当接片２１の当接面は、外力が加わらない状態、すなわちシャフト２２が最も伸びた状態では、図２（ｂ）に示すように、吸着板１７から突出するようになっている。従って、バネ２３は、当接片２１が吸着板１７から突出する方向に付勢していることになる。なお、押圧部２０は、吸着板１７に形成されている全ての吸着孔１６に配設するようにしても良く、また、対象とするラベル１の大きさに応じて一部の吸着孔１６に配設するようにしても良い。
【００２０】
次に、本実施の形態におけるラベル１の貼付動作について図３を参照して詳細に説明する。
図３は、本発明に係るラベル貼付装置の第１の本実施の形態におけるラベル１の貼付動作を説明するための説明図である。
【００２１】
吸着ヘッド１１へのラベル１の吸着は、ロッド１２が縮められ、吸着ヘッド１１が図１に実線で示すラベル吸着位置に存在する状態で行われる。剥離板５３によって帯状台紙２から剥離されたラベル１は、ラベル吸着位置に存在する吸着ヘッド１１の吸着板１７に供給され、直後に吸着ヘッド１１の中空部１４に連通された真空装置を吸引動作させ、中空部１４に負圧を生じさせることで、吸着ヘッド１１の吸着板１７にラベル１が吸着される。なお、ラベル１の印字面が吸着される面であり、粘着剤が塗布された粘着面が下面側に位置している。
【００２２】
図３（ａ）は、吸着ヘッド１１の吸着板１７にラベル１が吸着された状態が示されている。吸着ヘッド１１の吸着板１７にラベル１が吸着される時に、吸着孔１６に吸引力が生じるので、押圧部２０の当接片２１がバネ２３の付勢力に抗して矢印Ａで示す方向、すなわちシャフト２２が縮む方向に僅かに移動される。これにより、剥離されるラベル１を確実に吸着面に吸着することができ、吸着孔１６に位置するラベル１は、当接片２１によって中心部分が支持されることになるため、吸着孔１６に生じた吸引力によって窪んでしまうことが防止される。また、バネ２３の付勢力は、吸着されたラベル１によって、当接片２１のラベル１との当接面と、吸着板１７の吸着面とが略同一面となる位置まで移動されるように設定されている。これにより、吸着ヘッド１１の吸着板１７に吸着されたラベル１は、同一平面に支持されることになり、吸着孔１６に生じた吸引力によって窪んでしまうことがより確実に防止することができる。
【００２３】
次に、図示しない被貼付物検出センサによって吸着ヘッド１１に対向する位置まで被貼付物８が搬送されたことが検出されると、シリンダ１３によってロッド１２を伸して、図３（ｂ）に示すように、ラベル１を吸着した吸着ヘッド１１の吸着板１７を被貼付物８に押圧し、図示しない真空装置による中空部１４に生じた負圧を解除することで、ラベル１が被貼付物８に貼付される。その後、シリンダ１３によってロッド１２が縮めて、吸着ヘッド１１が再びラベル吸着位置に戻す。
【００２４】
ラベル１を吸着した吸着ヘッド１１の吸着板１７が被貼付物８に押圧された状態では、吸着ヘッド１１の吸着板１７によってラベル１の粘着面が被貼付物８に押しつけられると共に、吸着孔１６の中心部分に配設されている押圧部２０の当接片２１によってもラベル１の粘着面が被貼付物８に押しつけられることになる。このように、吸着孔１６においても、押圧部２０の当接片２１によってラベル１の粘着面が被貼付物８に押しつけられるため、吸着孔１６によって吸着されている箇所に気泡が吸着跡としてそのまま残ってしまうことを防止することができ、ラベル１が被貼付物８に対して均一に貼付されることになる。
【００２５】
（第２の実施の形態）
図４は、本発明に係るラベル貼付装置の第２の本実施における吸着ヘッドの構成を示す部分図であり、（ａ）は、吸着面の構成を示す平面図であり、（ｂ）は、（ａ）に示すＹ−Ｙ’断面図である。
【００２６】
第２の実施の形態の押圧部２０ａには、吸着孔１６に生じる吸引力の作用を受け、当接片２１をバネ２３の付勢力に抗して矢印Ｂで示す方向、すなわちシャフト２２が縮む方向に移動させる羽部２４が設けられている。また、外力が加わらない状態で、当接片２１が吸着板１７から突出する量が第１の実施の形態に比べて大きくなっている。これにより、吸着ヘッド１１の吸着板１７にラベル１が吸着された際に、当接片２１が移動されるストロークが大きくなり、第１の実施の形態よりも強い力でラベル１の粘着面を被貼付物８に押しつけることが可能になる。なお、外力が加わらない状態で、当接片２１が吸着板１７から突出する量を第１の実施の形態と同一にし、第１の実施の形態よりも付勢力の強いバネ２３を用いても同様の効果を得ることができる。
【００２７】
以上説明したように、本実施の形態によれば、吸着孔１６の中心部分に配設され、吸着板１７に吸着されたラベル１に当接する当接片２１と、当接片２１を吸着板１７に対して略垂直方向に移動可能に支持するシャフト２２と、当接片２１が吸着板１７から突出する方向に付勢するバネ２３とを設けることにより、ラベル１を吸着板１７に吸着した際には、吸着孔１６に位置するラベル１が当接片２１によって支持されることになるため、吸着孔１６に生じた吸引力によって窪んでしまうことが防止されるため、吸着ヘッド１１の吸着板１７に吸着されたラベル１を被貼付物８に押圧する動作のみで、気泡が入らないようにラベル１を被貼付物８に貼付することができるという効果を奏する。
【００２８】
さらに、本実施の形態によれば、外力が加わらない状態では、当接片２１の当接面が吸着板１７から突出するように構成することにより、ラベル１を吸着した吸着板１７が被貼付物８に押圧された際には、当接片２１によってもラベル１の粘着面が被貼付物８に押しつけられることになるため、吸着ヘッド１１の吸着板１７に吸着されたラベル１を被貼付物８に押圧する動作のみで、気泡が入らないようにラベル１を被貼付物８に貼付することができるという効果を奏する。
【００２９】
さらに、本実施の形態によれば、吸着されたラベル１によって当接片２１の当接面が吸着板１７の吸着面と略同一面となる位置まで移動されるようにバネ２３の付勢力を設定することにより、吸着ヘッド１１の吸着板１７に吸着されたラベル１は、略同一平面に支持されることになり、吸着孔１６に生じた吸引力によって窪んでしまうことをより確実に防止することができるという効果を奏する。
【００３０】
さらに、本実施の形態によれば、吸着孔１６に生じる吸引力の作用を受け、当接片２１をバネ２３の付勢力に抗して移動させる羽部２４を設けることにより、より強い力でラベル１の粘着面が被貼付物８に押しつけることが可能になるという効果を奏する。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３２】
【図１】本発明に係るラベル貼付装置の第１の本実施の形態の構成を示す概略側面図である。
【図２】図１に示す吸着ヘッドの構成を示す部分図であり、（ａ）は、吸着面の構成を示す平面図であり、（ｂ）は、（ａ）に示すＸ−Ｘ’断面図である。
【図３】本発明に係るラベル貼付装置の第１の本実施の形態におけるラベルの貼付動作を説明するための説明図である。
【図４】本発明に係るラベル貼付装置の第２の本実施における吸着ヘッドの構成を示す部分図であり、（ａ）は、吸着面の構成を示す平面図であり、（ｂ）は、（ａ）に示すＹ−Ｙ’断面図である。
【符号の説明】
【００３３】
１  ラベル
２  帯状台紙
３  ラベル連続体
４  ラベル保持部
５  印字剥離部
６  台紙巻取部
７  コンベア
８  被貼付物
１０  貼付部
１１  吸着ヘッド
１２  ロッド
１３  シリンダ
１４  中空部
１５  吸着ヘッド本体
１６  吸着孔
１７  吸着板
２０  押圧部
２０ａ  押圧部
２１  当接片
２２  シャフト
２３  バネ
２４  羽部
５１  プラテンローラ
５２  サーマルヘッド
５３  剥離板
【図１】
2010120672.tif 000003
【図２】
2010120672.tif 000004
【図３】
2010120672.tif 000005
【図４】
2010120672.tif 000006